(57)【要約】【課題】装置本体外部に引き出したユニット内部の、記録材の有無状況とその除去方法とが自動的に表示可能な、異常発生時の作業性が良い、且つ接触不良等のない高信頼性の画像形成装置およびその制御方法の提供を目的とする。【解決手段】記録材を搬送し、本体から引き出し可能に配設された搬送ユニットと、搬送ユニット内の記録材の有無を検出するセンサと、該センサが検出した記録材有無情報に基づき異常情報を出力する本体内部に配設された制御手段と、を有する画像形成装置において、前記搬送ユニットがパラレル信号をシリアル信号に変換するパラレル／シリアル変換手段を有し、且つ前記搬送ユニットと本体を接続する束線、及び、前記制御手段が出力した異常情報を表示する本体の上面から突出した表示手段、を有するものであることを特徴とする画像形成装置。【選択図】        図１
2004333731.tif 000002
【特許請求の範囲】
【請求項１】
記録材を搬送し、本体から引き出し可能に配設された搬送ユニットと、搬送ユニット内の記録材の有無を検出するセンサと、該センサが検出した記録材有無情報に基づき異常情報を出力する本体内部に配設された制御手段と、を有する画像形成装置において、
前記搬送ユニットがパラレル信号をシリアル信号に変換するパラレル／シリアル変換手段を有し、且つ前記搬送ユニットと本体を接続する束線、及び、前記制御手段が出力した異常情報を表示する本体の上面から突出した表示手段、を有するものであることを特徴とする画像形成装置。
【請求項２】
前記束線は少なくとも前記センサによる前記搬送ユニット内の記録材の有無情報に関するシリアル信号を伝送するものであることを特徴とする請求項１に記載の画像形成装置。
【請求項３】
本体から外部に引き出された搬送ユニット内の記録材の有無を複数のセンサで検出する工程、該センサで検出した記録材の検出信号をパラレル／シリアル変換する工程、通信手段を介し変換された検出信号を本体の制御手段にシリアル送信する工程、該制御手段が送信された記録材の有無の情報に基づき異常情報を出力する工程、出力された異常情報を本体の上面から突出した表示手段に表示する工程、を有するものであることを特徴とする画像形成装置の制御方法。
【請求項４】
異常情報の出力は、引き出された搬送ユニット内の記録材の残留情報と、残留した記録材の除去方法と、残留記録材が検出されなくなった後の画像形成作業開始指示とであることを特徴とする請求項３に記載の画像形成装置の制御方法。
【発明の詳細な説明】
【０００１】
【発明の属する技術分野】
本発明は、画像形成装置本体から引き出し可能な、例えば搬送ユニット等のユニットを備えた画像形成装置とその制御方法に関するものである。
【０００２】
【従来の技術】
従来画像形成装置において異常発生時の作業性向上のため、▲１▼例えば記録材の搬送路でジャムを発生した場合に、記録材を取り除き易くするために、搬送ユニットを本体から引き出すようにしたものが提供されてきた。
このようなものの搬送ユニットと画像形成装置本体との間の電気的接続手段としてドロアコネクタを用いた画像形成装置が知られている（例えば特許文献１）。
【０００３】
【特許文献１】
特開２００１−２７２８９２号公報（段落番号００４３  図１、２、１０）
【０００４】
【発明が解決しようとする課題】
しかし、特許文献１に記載されている両面搬送ユニットと定着搬送ユニットとは、装置本体と両搬送ユニット間の電気的接続がドロアコネクタを介して行われているため着脱が容易となる反面、搬送ユニットを引き出してしまうと機械的にコネクタの雌雄が外れて電気的な接続が切断されてしまう。
【０００５】
例えば、記録材の検出センサを備えた両面搬送ユニットは搬送ユニットを装置本体から引き出してしまうと、上述したように電気的な接続が切れてしまうため、例えば検出センサによる搬送ユニット内部の記録材の有無等の状況把握が自動的にできなくなってしまい、また、結果として引き出したユニット内の異常に関する情報の表示ができなくなってしまうという欠点がある。
【０００６】
このため、例えばジャミングの処置において、ジャミングを発生した一部の記録材は取り除いても、場合によっては搬送ユニット内に残留した記録材に気がつかずに搬送ユニットを本体内に装着し、再起動時に初めて記録材の残留に気づき再びジャミング処置をし直さなくてはならないといった欠点、また装置本体側面に表示手段が配置されているためユニットを引き出した状態では表示内容を見難い場合があるといった欠点、があることが容易に推量される。
【０００７】
本発明は上記欠点に鑑み、異常発生時にその対策のために装置本体外部に引き出したユニット内部の、異常の内容（記録材の残留状況）と記録材料の除去方法とが、ユニットを引き出した状態で自動的に表示可能な、異常発生時の作業性が良い、且つ接触不良等のない信頼性が高い画像形成装置およびその制御方法の提供を目的とする。
【０００８】
【課題を解決するための手段】
本発明者は、画像形成装置本体と引き出し可能なユニット間の電気的な接続をコネクタを介して行うため、引き出し中は電気的な接続が遮断され、引き出したユニットの異常表示も不可能になってしまうこと、また記録材から発生する紙粉等によりコネクタの接触不良が発生する可能性があることに着目し、
画像形成装置本体と引き出し可能なユニット間の電気的な接続を束線を用いて接続し、ユニット引き出し中にもユニット内の記録材の有無検知を確実に可能とし、また引き出したユニットの異常情報（例えば有無検知（記録材残留）情報）をユニットを引き出しても目視し易い位置に表示しようとして本発明に至った。
【０００９】
本発明に係る上記目的は下記構成により達成される。
（１）記録材を搬送し、本体から引き出し可能に配設された搬送ユニットと、搬送ユニット内の記録材の有無を検出するセンサと、該センサが検出した記録材有無情報に基づき異常情報を出力する本体内部に配設された制御手段と、を有する画像形成装置において、
前記搬送ユニットがパラレル信号をシリアル信号に変換するパラレル／シリアル変換手段を有し、且つ前記搬送ユニットと本体を接続する束線、及び、前記制御手段が出力した異常情報を表示する本体の上面から突出した表示手段、を有するものであることを特徴とする画像形成装置。
【００１０】
（２）本体から外部に引き出された搬送ユニット内の記録材の有無を複数のセンサで検出する工程、該センサで検出した記録材の検出信号をパラレル／シリアル変換する工程、通信手段を介し変換された検出信号を本体の制御手段にシリアル送信する工程、該制御手段が送信された記録材の有無の情報に基づき異常情報を出力する工程、出力された異常情報を本体の上面から突出した表示手段に表示する工程、を有するものであることを特徴とする画像形成装置の制御方法。
【００１１】
【発明の実施の形態】
本発明の画像形成装置及びその制御方法について、以下にその実施の形態を図を用いて説明するが、本発明はこれに限定されない。
【００１２】
また、以下の説明には用語等に対する断定的な表現が含まれている場合があるが、本発明の好ましい例を示すものであって、本発明の用語の意義や技術的な範囲を限定するものではない。
【００１３】
図１は本発明の一つの実施の形態であるデジタル方式のモノクロ画像形成装置を模式的に示したものである。
【００１４】
図で示すように、前記モノクロ画像形成装置は、画像読取り部Ａ、画像入力制御部Ｂ、画像形成部Ｃ、記録材搬送手段としての記録材搬送部Ｄ、画像形成装置全体の制御をする制御手段Ｓから構成されている。
【００１５】
画像読取り部Ａの上部には原稿を自動搬送する自動原稿送り装置Ｆが設けられていて、原稿載置台１１上に載置された原稿（不図示）は原稿搬送ローラ１２によって１枚ずつ分離搬送される。搬送されながら、前記原稿の画像は、読み取り位置１３ａの下方にて停止している照明ランプおよび第１ミラーから成る第１ミラーユニット１５と、Ｖ字状に配置した第２ミラー及び第３ミラーから成る第２ミラーユニット１６と、結像レンズ１７とにより、ラインセンサである撮像素子ＣＣＤの受光面に結像される。
【００１６】
結像されたライン状の光学像は、順次、光電変換されたのちＡ／Ｄ変換され、画像入力制御部Ｂにおいて濃度変換、フィルタ処理などの処理が施された後、画像データとして、一旦、記憶手段Ｍに記憶される。原稿読み取りが終了した原稿は原稿搬送ローラ１２によって原稿排紙皿１４上に排出される。
【００１７】
一方、プラテンガラス１３上に原稿が置かれた場合には、原稿の画像は前述の走査光学系を構成する第１ミラーユニット１５と、第２ミラーユニット１６の移動により走査され、結像レンズ１７を通してラインセンサである撮像素子ＣＣＤの受光面に結像され、読み取りがなされる。
【００１８】
画像形成部Ｃでは、画像形成ユニットとして、像担持体であるドラム状の感光体２１と、その外周に、該感光体２１を帯電させる帯電手段２２、潜像を顕像化する現像手段２３、転写手段である転写ローラ２４、前記感光体２１のクリーニング手段２６、および、光除電手段であるＰＣＬ（プレチャージランプ）２７が各々動作順に配置されている。
【００１９】
感光体２１は、光導電性化合物をドラム基体上に塗布形成したもので、例えば有機感光体（ＯＰＣ）が好ましく使用され、図示の時計方向に駆動回転される。
【００２０】
回転する感光体２１へは帯電手段２２による一様帯電がなされた後、レーザビームによる書き込み手段である露光装置３０により、記憶手段Ｍから呼び出された画像データに基づいた像露光が行われる。
【００２１】
露光装置３０はレーザダイオード（不図示）を発光光源とし、回転するポリゴンミラー３１、ｆθレンズ３４、シリンドリカルレンズ３５、複数の反射ミラーを有しており、レーザビームにより感光体面の主走査を行う。この主走査と感光体２１の回転による副走査によって感光体２１上に潜像が形成される。
【００２２】
本実施の形態の例では、原稿の文字部に該当する部分、即ち、原稿の濃度が高い部分に対して露光を行い潜像を形成する。
【００２３】
感光体２１上の潜像は現像手段２３によって反転現像が行われ、感光体２１の表面に可視像のトナー像が形成される。
【００２４】
画像形成部Ｃの下方には記録材搬送部Ｄがあり、記録材収納手段としての給紙ユニット４１（Ａ）、４１（Ｂ）、４１（Ｃ）が設けられ、各給紙ユニットには各種サイズの記録材Ｐが収納されている。また側方には手差し給紙を行うための手差し給紙ユニット４２が設けられている。前記給紙ユニット４１（Ａ）、４１（Ｂ）、４１（Ｃ）から供給される記録材Ｐは、垂直搬送路ｂを通り、ループ形成ローラ４３を通過し、搬送中に発生した記録材Ｐの傾きと偏りの修正を行うレジストローラ対４４によって修正がなされた後、画像転写のために給紙される。
【００２５】
給紙された記録材Ｐは、給紙ガイド板４６、転写前ローラ４３ａ、進入ガイド板４７に案内され、感光体２１に密着して進行する。次に、転写位置Ｔにて、転写手段であるバイアス電圧が印加されている転写ローラ２４によって、感光体２１上のトナー画像が記録材Ｐに転写される。トナー画像を担持した記録材Ｐは、感光体２１から分離して、搬送ベルト４５によって載置搬送され、定着装置５０に送られる。
【００２６】
定着装置５０は、内部にヒータを有する回転ローラである加熱ローラ５１と、それを押圧する加圧ローラ５２とを備えており、トナー画像を担持した記録材Ｐを、加熱ローラ５１と加圧ローラ５２との間に挟み搬送することにより、加熱、加圧をしてトナー画像を記録材Ｐに定着させる。
【００２７】
定着を終えた記録材Ｐは排紙トレイ６４上に排出される。
以上は記録材Ｐの片側への画像形成を行う場合を説明したものであるが、両面複写の場合は排紙切換部材１７０が図の実線位置に切り替わり、記録材Ｐは搬送ローラ１７８の方向に搬送される。
【００２８】
次に、記録材Ｐは用紙反転ローラ１７９によるスイッチバックによって、表裏が反転させられて第６搬送路ｇに搬送される。
【００２９】
記録材Ｐは第６搬送路ｇの搬送ローラ（図番なし）により搬送され、再びループ形成ローラ４３を経て給紙ガイド板４６に案内され、裏面への画像形成に供されるために感光体２１方向に向けて給紙される。
【００３０】
そして、転写位置Ｔで裏面にトナー画像が転写され、定着装置５０で定着された記録材Ｐは、排紙トレイ６４に排紙される。
【００３１】
７０はオペレータが画像形成の起動操作等を行う操作パネルで、装置の異常情報等を表示する表示手段７１を備えている。
【００３２】
そして、操作パネル７０は各種ユニットを装置本体から引き出しても影にならずに表示手段の表示内容が目視可能なように画像形成装置Ｚの上面から突出して配設されている。
【００３３】
ここで、表示手段７１に液晶表示装置を使用する場合は視野角が狭いため、操作パネル７０は操作面の向きがオペレータに対向していることが望ましく、更に少なくとも９０度左右に回動自在としても良く、更に水平から下向きに４５度程度回動可能としてもよい。
【００３４】
図２は本発明に係る引き出し可能な搬送ユニットＧの概要を示す図である。
以下に図１、２を参照して、記録材の搬送路及び引き出し可能な搬送ユニットについてその一例を説明する。
【００３５】
図１において、記録材Ｐの搬送経路は、記録材収納手段４１（Ａ）、４１（Ｂ）、４１（Ｃ）から各プレレジストローラ５３まで記録材を送り出す各第１搬送路ａと、プレレジストローラ５３からループ形成ローラ４３まで記録材を搬送する垂直搬送路ｂと、ループ形成ローラ４３から感光体２１まで記録材を搬送する第２搬送路ｃと、感光体２１から定着装置５０まで記録材を搬送する搬送ベルト４５と、記録材の搬送方向を切り替える排紙切換部材１７０と、排紙切換部材１７０から排紙ローラ６３まで記録材を搬送する第３搬送路ｄと、排紙切換部材１７０から第５搬送路ｆと第６搬送路ｇとの切り替え部４８まで記録材を搬送する第４搬送路ｅと、切り替え部４８から分岐するスイッチバック用の第５搬送路ｆと、切り替え部４８からループ形成ローラ４３まで記録材を搬送する第６搬送路ｇ等、複数の搬送路で構成されている。
【００３６】
そして、引き出し可能な搬送ユニットＧは、定着装置５０と、転写ローラ２４、及び第２搬送路ｃと、搬送ベルト４５と、排紙切換部材１７０と、第３搬送路ｄの一部と、第４搬送路ｅと、第５搬送路ｆと、第６搬送路ｇ等複数の搬送路と、それら搬送路内の記録材を搬送する複数のローラ、とを備え、それらが一体的にユニット化されている。
【００３７】
ここで、定着装置５０は本体に配設しても良く、また上述した複数の搬送路とローラの内一部は本体に配設しても良い。そしてこれは、設計上搬送ユニットを引き出しやすくするため適宜選択する。
【００３８】
そして、ユニット化された引き出し可能な搬送ユニットＧは例えばガイドローラのような引き出し手段８１、８２、８３に配設され、破線で示す部分を境界として、装置本体の外部まで引き出し自在に懸架されている。
【００３９】
ここで、引き出し手段に搬送ユニットと引き出し手段との締結部材を備え、搬送ユニットを引き出した状態で締結部材の締結を解除し、搬送ユニットを引き出し手段から外して、装置本体外部の近傍に取り出せるようにしても良い。
【００４０】
そして、引き出し可能な搬送ユニットＧには、レジストローラ対４４と転写前ローラ４３ａ間に第２搬送路ｃでの記録材Ｐの有無（残留）を検出するセンサＳ１が、定着装置５０と排紙切換部材１７０間に排紙切換部材１７０での記録材Ｐの有無（残留）を検出するセンサＳ２が、排紙切換部材１７０と搬送ローラ１７８間に反転搬送時の搬送路ｅでの記録材Ｐの有無（残留）を検出するセンサＳ３が、切り替え部４８と用紙反転ローラ１７９間に第４搬送路ｅと第５搬送路ｆでの記録材Ｐの有無（残留）を検出するセンサＳ４が、第６搬送路ｇの略中間に第６搬送路ｇでの記録材Ｐの有無（残留）を検出するセンサＳ５がそれぞれ配設され、引き出し可能な搬送ユニットＧを装置本体Ｚの外部に引き出した状態でセンサＳ１〜Ｓ５により記録材Ｐの有無（残留）を検出する。
【００４１】
Ｐ／Ｓはパラレル信号をシリアル信号に変換するパラレル／シリアル変換手段で、パラレル入力端子にセンサＳ１〜Ｓ５、及び引き出し可能な搬送ユニットＧが引き出されたことを検出するセンサＳ６が並列に接続され、シリアル出力端子にはシリアル情報を伝達する束線８０が接続され、束線８０の他端が装置本体Ｚに配設された制御手段Ｓのシリアル通信部Ｕに接続されている。
【００４２】
そして、各センサからの記録材有無情報等がシリアル信号として制御手段で受信される。
【００４３】
図３は本発明に係る制御系の概要を示すブロック図である。
以下に図３、１、２を参照して制御系の構成について概要を説明する。
【００４４】
上述したように、センサＳ１〜Ｓ５と、センサＳ６とが、パラレル／シリアル変換手段Ｐ／Ｓのパラレル入力端子にそれぞれ並列に接続され、パラレル／シリアル変換手段Ｐ／Ｓのシリアル出力端子にはシリアル情報を伝達する、グランド線、電源線、送信線、受信線の計４本の束線８０を介して装置本体Ｚに配設された制御手段Ｓのシリアル通信部Ｕのシリアル入力端子に接続されている。
【００４５】
引き出し可能な搬送ユニットＧと装置本体Ｚ間とを束線８０を用いて接続したことにより、搬送ユニットを装置本体から引き出しても（引き抜いても）電気的な接続が維持され、各センサによる記録材の有無情報等を本体に常時送信可能な状態となるようにしている。
【００４６】
ここで、束線８０は引き出し可能な搬送ユニットＧを装置本体の外部に引き出すことが出来る長さを有している。
【００４７】
また、束線８０の長さは、引き出し可能な搬送ユニットを装置本体から引き抜いて、装置本体外部の近傍におくことができる長さとしても良い。
【００４８】
そして、制御手段Ｓの出力が表示手段７１に接続されており、制御手段Ｓは後述する制御方法により、センサＳ１〜Ｓ５により引き出した搬送ユニット内に残留した記録材を検出し、検出した記録材の検出情報に該当する異常（残留）情報等を表示手段７１に表示させる。
【００４９】
記憶手段Ｍには、各センサ毎の記録材の検出状態に対応する、異常内容と異常対策方法とが予め記憶されており、例えばセンサＳ１が記録材の有りを検出した場合は、異常内容（例えば、第２搬送路に記録材が残留しています）と、異常対策方法（例えば、ローラ４４のつまみを反時計方向に回転し記録材を戻して取り除いてください）といった異常に関する処置情報が記憶されている。
【００５０】
以上説明したように、引き出し可能な搬送ユニットと装置本体間との電気的な接続をコネクタを用いずに束線で接続したため、接触不良を防止でき、更に搬送ユニットを引き出した状態でのセンサの各種検出情報の制御手段への入力が可能となり、ユニットの装置本体外部への引き出し中も、表示手段への異常の表示を可能とした。
【００５１】
また搬送ユニット内にパラレル／シリアル変換手段を設け、複数のセンサ等の出力情報をパラレル／シリアル変換することにより多数の信号線をシリアル通信を行う１本のケーブルにまとめることができ、画像形成装置内の配線を簡素化でき、それらにより異常時の作業性の良い、且つ信頼性の高い画像形成装置が提供できる。
【００５２】
図４は本発明に係る、引き出した搬送ユニットの異常情報表示を行うフロー図である。
【００５３】
ステップ１  センサＳ１〜Ｓ５はそれぞれ記録材Ｐの有無検出、またセンサＳ６は引き出し可能な搬送ユニットＧの引き出し状態を検出し、検出結果の情報をそれぞれパラレル／シリアル変換手段Ｐ／Ｓに入力し、ステップ２に歩進する。
【００５４】
ステップ２  パラレル／シリアル変換手段Ｐ／Ｓは入力されたパラレルの検出結果の情報をシリアルの信号に変換しステップ３に歩進する。
【００５５】
ステップ３  パラレル／シリアル変換手段Ｐ／ＳはセンサＳ１〜Ｓ６の検出結果の情報を束線８０を介してシリアル通信部Ｕにシリアル送信してステップ４に歩進する。
【００５６】
ステップ４  制御手段Ｓはシリアル通信部Ｕで受信したセンサ６の情報を確認し、引き出し可能な搬送ユニットＧが引き出されている（Ｙ）と判断するとステップ５へ歩進し、引き出されていない（Ｎ）と判断するとエンドにジャンプする。
【００５７】
ステップ５  制御手段Ｓはシリアル通信部Ｕで受信したセンサ１の情報を確認し、記録材Ｐがセンサ位置に残留している（有る（Ｙ））と判断するとステップ６へ歩進し、センサ位置に残留していない（無い（Ｎ））と判断すると他のセンサ部の残留を確認するためステップ１０へジャンプする。
【００５８】
ステップ６  制御手段Ｓは記憶手段Ｍに予め記憶させた第２搬送路ｃに残留した記録材の除去方法（例えば、ローラ４４のつまみを反時計方向に回転し記録材を戻して取り除いてください）、及び異常の内容（例えば、第２搬送路に記録材が残留しています）を読み出しステップ７へ歩進する。
【００５９】
ステップ７  制御手段Ｓは記憶手段Ｍから読み出した、上述した異常の内容と、第２搬送路ｃに残留した記録材の除去方法と、を表示部７１へ出力しステップ８へ歩進する。
【００６０】
ステップ８  表示部７１は、入力された上述した異常の内容と、第２搬送路ｃに残留した記録材の除去方法と、を表示し、ステップ９へ歩進する。
【００６１】
これによりオペレータは異常の表示が有れば、表示に従い残留している記録材を除去する。
【００６２】
ステップ９  制御手段Ｓは再びセンサ１の情報を確認して記録材Ｐがセンサ位置にまだ残留している（Ｙ）と判断すると、オペレータに残留記録材の除去を促すためステップ８へ戻り再度上述した異常の内容と、第２搬送路ｃに残留した記録材の除去方法を表示させる。また、センサ位置に残留していない（Ｎ）と判断すると他の位置の残留を確認するためステップ１０へ歩進する。
【００６３】
ステップ１０〜１４  制御手段Ｓはセンサ１の場合と同様な考え（ステップ５〜９）に基づき、センサ２により排紙切り換え部１７０での記録材の残留を検出し、異常の内容と、除去方法の表示を行う。
【００６４】
ステップ１５〜１９  制御手段Ｓはセンサ１の場合と同様な考え（ステップ５〜９）に基づき、センサ３により搬送路ｅでの記録材の残留を検出し、異常の内容と、除去方法の表示を行う。
【００６５】
ステップ２０〜２４  制御手段Ｓはセンサ１の場合と同様な考え（ステップ５〜９）に基づき、センサ４により搬送路ｆでの記録材の残留を検出し、異常の内容と、除去方法の表示を行う。
【００６６】
ステップ２５〜２９  制御手段Ｓはセンサ１の場合と同様な考え（ステップ５〜９）に基づき、センサ５により搬送路ｇでの記録材の残留を検出し、異常の内容と、除去方法の表示を行う。
【００６７】
ここで、ステップ２５、２９においてセンサ位置に記録材が残留していない（Ｎ）と判断すると、既に搬送ユニット内から残留記録材は全て除去されたと判断しステップ３０にジャンプする。
【００６８】
ステップ３０  制御手段Ｓは、引き出された搬送ユニットの復帰を促す表示（例えば、本体内へユニットを挿入してください）を表示手段７１に行わさせ、エンドに歩進する。
【００６９】
これによりオペレータは、表示に従い引き出し可能な搬送ユニットを画像形成装置本体内へ装着する。
【００７０】
以上、本発明に係る搬送ユニットを引き出した後の処理を中心に説明したが、本発明の画像形成装置は、画像形成の為の記録材搬送中に「記録材が所定時間中に所定のセンサを通過しなかった」といったような、公知のジャミング検知方法でジャミングの検知を行い、異常の内容と、当該記録材の除去法を表示手段に表示すると共に、記録材の搬送を自動的に停止させ、ジャミングした記録材の除去を促すようにしている。
【００７１】
ここで記録材の有無検出センサをより多くの位置に配設して上述したと同じ制御を行うことにより搬送ユニット内のより細かい上述したような異常情報の表示が可能となる。
【００７２】
また、画像形成装置の一部がユニット化され、装置本体から外部に引き出し可能となっている、例えば感光体ドラムユニット等のユニットはユニットと本体間を束線で接続し、ユニットの引き出し中もユニット内のセンサに基づく情報表示を行うという本発明が適用できる。
【００７３】
また、モノクロの画像形成装置について説明したが、例えば感光体ドラム上にカラー画像を合成させ、一括転写を行うようなカラー画像形成装置についても本発明が適用できる。
【００７４】
以上により、引き出した搬送ユニット内の残留記録材を自動的に検出でき、装置本体上に突出した表示手段に、残留場所により適当な除去方法の表示を行ない、除去が完了すると再稼働を促す表示を行なうため、ジャム発生時等の搬送ユニット内の残留記録材の取り忘れが防止でき、異常発生時の作業性が改善される。
【００７５】
【発明の効果】
本発明によれば次のような効果を得ることが出来る。すなわち、
装置本体外部に引き出した搬送ユニット内の残留記録材が自動的に検出され、装置本体上に突出した表示手段に、残留場所により適当な除去方法の表示が行われ、除去が完了すると再稼働を促す表示が行われるため、ジャム発生時等に装置本体外に引き出した搬送ユニット内等の残留記録材の取り忘れが防止でき、これにより異常発生時の作業性が改善され、またコネクタを用いない為に接触不良等の発生することがない高信頼性の画像形成装置、及びその制御方法が提供できるという効果を奏する。
【図面の簡単な説明】
【図１】本発明の一つの実施の形態であるデジタル方式のモノクロ画像形成装置を模式的に示したものである。
【図２】本発明に係る引き出し可能な搬送ユニットＧの概要を示す図である。
【図３】本発明に係る制御系の概要を示すブロック図である。
【図４】本発明に係る、引き出した搬送ユニットの異常情報表示を行うフロー図である。
【符号の説明】
２１  感光体
４１（Ａ）、４１（Ｂ）、４１（Ｃ）  給紙ユニット
７１  表示手段
８０  束線
ａ  第１搬送路
ｂ  垂直搬送路
ｃ  第２搬送路
ｄ  第３搬送路
ｅ  第４搬送路
ｆ  第５搬送路
ｇ  第６搬送路
Ｇ  引き出し可能な搬送ユニット
Ｍ  記憶手段
Ｐ  記録材
Ｐ／Ｓ  パラレル／シリアル変換手段
Ｓ  制御手段
Ｓ１  センサ
Ｓ２  センサ
Ｓ３  センサ
Ｓ４  センサ
Ｓ５  センサ
Ｓ６  センサ
Ｕ  シリアル通信部Ｕ
Ｚ  装置本体
【図１】
2004333731.tif 000003
【図２】
2004333731.tif 000004
【図３】
2004333731.tif 000005
【図４】
2004333731.tif 000006